(57)【要約】【課題】ねじを用いないで基板を固定でき、基板に応力をかけずに取り付けられ且つ固定後は衝撃によって基板が外れることがない電力量計の内部ケースを提供する。【解決手段】内部ケースに基板１１を取り付けるための基板固定スナップフィット７を設け、基板１１は基板固定穴１３を有し、基板固定スナップフィット７は、基板固定スナップフィット７をたわませた状態で基板固定穴１３に貫通させるために基板固定スナップフィット７に力が加えられるツマミ部７ａと、このツマミ部７ａに加えられた力により基板固定スナップフィット７を基板固定穴１３に貫通させた後、基板固定穴１３に引掛けることで基板１１を固定するための引掛け部７ｂとを有する。【選択図】図２
2006090949.tif 000002
【特許請求の範囲】
【請求項１】
電力量計のベースにサポートを介して取り付けられた電力量計の内部ケースであって、この内部ケースに基板を取り付けるための基板取付固定部を設け、前記基板は基板固定穴を有し、
前記基板取付固定部は、
前記基板取付固定部をたわませた状態で前記基板固定穴に貫通させるために力が加えられるツマミ部と、
このツマミ部に加えられた力により前記基板取付固定部を前記基板固定穴に貫通させた後、前記基板固定穴に引掛けることで前記基板を固定するための引掛け部と、
を有することを特徴とする電力量計の内部ケース。
【請求項２】
銘板の取付穴に引掛けるためのＬ字構造部と、
このＬ字構造部を支点として前記銘板を回転させたとき、前記銘板の固定穴に嵌合することで前記銘板を固定するための銘板固定部と、
を有することを特徴とする請求項１記載の電力量計の内部ケース。
【請求項３】
電力量計のベースにサポートを介して取り付けられた電力量計の内部ケースに基板を取り付けるための基板取付固定方法であって、
前記内部ケースに設けられた基板取付固定部のツマミ部に力を加え、
前記基板取付固定部をたわませた状態で前記基板に設けられた基板固定穴に貫通させた後、
前記基板取付固定部の引掛け部を前記基板に設けられた基板固定穴に引掛けることで前記基板を固定することを特徴とする基板取付固定方法。
【発明の詳細な説明】
【技術分野】
【０００１】
本発明は、電力量計の内部ケースに関し、特に、内部ケースに基板及び銘板を取り付けるための構造に関する。
【背景技術】
【０００２】
従来、入力された電流と入力された電圧とに基づいて、電力量を計量する電子式電力量計が知られている。この電子式電力量計は、電流と電圧とに基づいて電力量を計算するＣＰＵ等を実装した基板と電子式電力量計の仕様等が表記された銘板とを有している。また、この基板と銘板を保持するための内部ケースを備えた電子式電力量計が知られている（例えば特許文献１）。
【０００３】
図７は従来の電力量計の内部ケースを示す外観斜視図であり、図８は従来の電力量計の内部ケースへの基板取り付け前後の様子を示す外観斜視図であり、図９は従来の電力量計の内部ケースへの銘板取り付け前後の様子を示す外観斜視図である。
【０００４】
図７及び図８に示すように、この内部ケース１０１には、内部ケース１０１に取り付けられる基板１１１の取り付け位置を決める四角形状の２つの基板取付位置決め部１０２、板状の１つの基板取付位置決め部１０４及び基板１１１を固定するための基板固定スナップフィット１０７が形成されている。
【０００５】
また、図７及び図９に示すように、内部ケース１０１には、内部ケース１０１に取り付けられる銘板１１４の取り付け位置を決める銘板取付位置決め部１０９及び内部ケース１０１に銘板１１４を固定するための銘板固定スナップフィット１１０が形成されている。
【０００６】
図８に示すように、内部ケース１０１の開口部から基板１１１を内部ケース１０１に挿入し、押圧することにより、内部ケース１０１の基板固定スナップフィット１０７が基板１１１の基板固定穴１１３に嵌合され、内部ケース１０１に基板１１１が固定される。また、図９に示すように、基板１１１が固定された内部ケース１０１の開口部に銘板１１４を当接し、押圧することにより、内部ケース１０１の銘板固定スナップフィット１１０が銘板１１４の銘板固定穴１１６に嵌合され、内部ケース１０１に銘板１１４が固定される。
【０００７】
従って、  基板固定スナップフィット１０７により、内部ケース１０１に基板１１１がワンタッチで固定され、銘板固定スナップフィット１１０により、内部ケース１０１に銘板１１４がワンタッチで固定される。
【０００８】
また、この種の電子式電力量計として、基板及び銘板が電子式電力量計の筐体内部に設置されたポストにねじ止めにより、固定された電子式電力量計が知られている（非特許文献１）。
【特許文献１】特開２００４−１２５５２７号公報
【非特許文献１】日本電気計器検定所  電気計器型式集  型式承認番号１１２１号
【発明の開示】
【発明が解決しようとする課題】
【０００９】
しかしながら、図７から図９に示した従来の電力量計の内部ケース１０１は、基板１１１や銘板１１４を取り付けるときに基板固定スナップフィット１０７や銘板固定スナップフィット１１０をたわませていたため、基板１１１や銘板１１４に応力がかかる。この応力により、基板１１１の表面実装部品（コンデンサ等）が破壊することや銘板１１４が変形することがあった。このため、基板１１１や銘板１１４に大きな応力がかからない程度に基板固定スナップフィット１０７や銘板固定スナップフィット１１０の幅、厚み、引掛け部１０７ｂの寸法を小さくしていた。
【００１０】
しかし、基板１１１や銘板１１４を内部ケース１０１に固定後、基板１１１や銘板１１４に取り付け方向と逆方向の衝撃がかかると基板１１１や銘板１１４が内部ケース１０１から外れてしまうという問題が生じ、基板１１１や銘板１１４が外れないように、基板１１１や銘板１１４を基板固定スナップフィット１０７や銘板固定スナップフィット１１０で固定するとともに例えば接着テープ等の衝撃対策部品１２０を用いて固定していた。このため、部品点数が増え、また作業工程もこれに伴ない増加しコストアップの要因となっていた。
【００１１】
本発明は、上記の問題を解消するためになされたものであり、その課題は、ねじを用いないで、取り付け時に基板や銘板に応力がかかることなく基板や銘板を電力量計（例えば電子式電力量計）に固定でき、固定後は衝撃によって外れることがなく、また安価で信頼性のある電力量計の内部ケースを提供することにある。
【課題を解決するための手段】
【００１２】
本発明は前記課題を解決するために以下の手段を採用した。請求項１の発明は、電力量計のベースにサポートを介して取り付けられた電力量計の内部ケースであって、この内部ケースに基板を取り付けるための基板取付固定部を設け、前記基板は基板固定穴を有し、前記基板取付固定部は、前記基板取付固定部をたわませた状態で前記基板固定穴に貫通させるために力が加えられるツマミ部と、このツマミ部に加えられた力により前記基板取付固定部を前記基板固定穴に貫通させた後、前記基板固定穴に引掛けることで前記基板を固定するための引掛け部とを有することを特徴とする。
【００１３】
請求項２の発明は、請求項１記載の電力量計の内部ケースにおいて、銘板の取付穴に引掛けるためのＬ字構造部と、このＬ字構造部を支点として前記銘板を回転させたとき、前記銘板の固定穴に嵌合することで前記銘板を固定するための銘板固定部とを有することを特徴とする。
【００１４】
請求項３の発明の基板取付固定方法は、電力量計のベースにサポートを介して取り付けられた電力量計の内部ケースに基板を取り付けるための基板取付固定方法であって、前記内部ケースに設けられた基板取付固定部のツマミ部に力を加え、前記基板取付固定部をたわませた状態で前記基板に設けられた基板固定穴に貫通させた後、前記基板取付固定部の引掛け部を前記基板に設けられた基板固定穴に引掛けることで前記基板を固定することを特徴とする。
【発明の効果】
【００１５】
請求項１の発明によれば、内部ケースに基板を取り付けるための基板取付固定部を設け、この基板取付固定部のツマミ部に力を加え、基板取付固定部をたわませた状態で基板固定穴に貫通させるので、基板取り付け時に基板に応力がかからず基板を破壊する恐れがない。また、基板取付固定部の引掛け部を基板固定穴に引掛けることで基板を固定する。このため、基板取付固定部の幅、厚み、引掛け部を大きくでき、基板を堅固に固定することができ、衝撃によって基板が内部ケースから外れることがない。
【００１６】
請求項２の発明によれば、銘板の取付穴にＬ字構造部を引掛け、銘板をＬ字構造部を支点として回転させた後、銘板固定部を銘板の固定穴に嵌合させたので、衝撃等で銘板が銘板固定部から外れても、銘板が内部ケースから脱落することはない。
【００１７】
請求項３の発明によれば、請求項１の発明と同様に作用し、同様な効果が得られる。
【発明を実施するための最良の形態】
【００１８】
以下、本発明の実施例に係る電力量計の内部ケースを図面を参照しながら詳細に説明する。
【実施例１】
【００１９】
図１は本発明の実施例１に係る電力量計の内部ケースを示す外観斜視図であり、図２は本発明の実施例１に係る電力量計の内部ケースへの基板取り付け前後の様子を示す外観斜視図であり、図３は、図１のＡ−Ａ間の断面図である。
【００２０】
本発明の内部ケース１は熱可塑性の樹脂（例えば、ポリカーボネート）からなり、図１に示すように、２つの四角形状からなる基板取付位置決め部２と基板位置決め突起６を有した四角形状からなる基板取付位置決め部３と板状の基板取付位置決め部４と基板固定部５及び基板１１を固定するための本発明の基板取付固定部である基板固定スナップフィット７が形成されている。基板取付位置決め部２と基板固定部５とは、基板１１を斜めから挿入できるように形成されている。また、基板固定スナップフィット７は、基板１１を固定するための突起状の引掛け部７ｂと上部に形成されたツマミ部７ａを有し、ツマミ部７ａに（図２の矢印方向の）力を加えることにより基板固定スナップフィット７をたわませることができる。
【００２１】
基板１１は、入力された電流と電圧とに基づいて電力量を計算するＣＰＵ等を実装しており、図２に示すように、内部ケース１の基板位置決め突起６と対向する位置に基板位置決め穴１２と内部ケース１の基板固定スナップフィット７と対向する位置に基板固定穴１３を有している。
【００２２】
次に、本発明の内部ケース１に基板１１を取り付ける手順を説明する。まず、図３に示すように、内部ケース１の基板取付位置決め部２と基板固定部５との間に斜め方向から基板１１を挿入する。この基板１１の挿入された部分を支点に内部ケース１側に回転させ、基板固定スナップフィット７を基板１１の基板固定穴１３に引掛け部７ｂの手前まで挿入し、基板位置決め突起６を基板１１の基板位置決め穴１２に挿入する。
【００２３】
次に、基板固定スナップフィット７のツマミ部７ａに内側（図２の矢印方向）に力を加え基板固定スナップフィット７を内側にたわませた状態で、基板１１を内部ケース１側に押圧し、基板固定スナップフィット７の引掛け部７ｂを基板固定穴１３に貫通させる。基板固定スナップフィット７の引掛け部７ｂが基板固定穴１３を貫通後、基板固定スナップフィット７のたわみをなくすことにより、基板固定スナップフィット７の引掛け部７ｂが基板１１の基板固定穴１３に引っ掛かり、基板１１が内部ケース１に固定される。この基板固定スナップフィット７の引掛け部７ｂが基板１１の基板固定穴１３を通過するときは、基板固定スナップフィット７を基板１１に応力がかからない程度にたわませるように、ツマミ部７ａに力を加える。
【００２４】
従って、基板固定スナップフィット７をたわませた状態で基板固定穴１３に貫通させるので、基板固定スナップフィット７の引掛け部７ｂが基板固定穴１３を通過するときに基板１１に応力がかからず、基板１１を破壊する恐れがない。このため、基板１１を固定後、衝撃等により基板１１が内部ケース１から外れることがない程度に、基板固定スナップフィット７の幅、厚み、引掛け部７ｂを大きくでき、基板１１を堅固に固定することができる。
【００２５】
このように構成された実施例１の内部ケースによれば、基板１１をねじを用いることなく、従来の内部ケース１０１と同様にワンタッチで取り付けることができる。また、基板１１は取り付け時に基板１１に応力をかけずに取り付けられ且つ基板固定スナップフィット７により、堅固に固定されるので基板取付方向と逆方向の衝撃にも強く、従来用いていた衝撃対策部品１２０を用いる必要がない。このため、部品点数及び作業工程を減少させることができ、コストダウンを図ることができる。
【００２６】
なお、本発明の基板固定スナップフィット７を電力量計の内部ケース以外の筐体に設けることで、電力量計の内部ケース以外の筐体に基板を固定することができるのは勿論である。
【実施例２】
【００２７】
図４は本発明の実施例２に係る電力量計の内部ケースを示す外観斜視図である。実施例２に係る電力量計の内部ケースは、図１に示す実施例１の電力量計の内部ケースの変形例であり、図１に示す基板取付位置決め部２、３、４の代わりに基板１１との接触面が平面状の基板取付位置決め部２３を設け、ガイド２１及び２２を設けた。その他の構成は、図１に示す実施例１の構成と同一構成であり、同一部分には同一符号を付し、その詳細は省略する。
【００２８】
このように構成された実施例２の内部ケースによれば、実施例１の内部ケース１と同様の手順で基板１１を内部ケースに取り付けられ、実施例１の内部ケース１の効果と同様な効果が得られる。また、実施例１の基板取付位置決め部２、３、４の代わりに、図４に示したような内部ケース１ａの底面を階段状に形成した基板取付位置決め部２３を設けたので、内部ケースの反りを小さくすることができる。また、ガイド２１及び２２を設けたので、基板の取り付けがさらに容易になる。
【００２９】
なお、本発明の基板固定スナップフィット７を電力量計の内部ケース以外の筐体に設けることで、電力量計の内部ケース以外の筐体に基板を固定することができるのは勿論である。
【実施例３】
【００３０】
図５は本発明の実施例３に係る電力量計の内部ケースへの銘板取り付け前後の様子を示す外観斜視図であり、図６は本発明の実施例３に係る電力量計の内部ケースを用いた電力量計の組立図である。
【００３１】
図５に示すように、実施例３に係る内部ケース１は、内部ケース１の開口部の淵が銘板取付位置決め部９になっており、銘板取付Ｌ字構造部８及び銘板固定スナップフィット１０が形成されている。
【００３２】
銘板１４は、例えばアルミニウムからなっており、内部ケース１の銘板取付Ｌ字構造部８と対向する位置に銘板取付穴１５と内部ケース１の銘板固定スナップフィット１０と対向する位置に銘板固定穴１６とを有している。
【００３３】
次に、本発明の内部ケース１に銘板１４を取り付ける手順を説明する。まず、内部ケース１の銘板取付Ｌ字構造部８を銘板１４の銘板取付穴１５に挿入し、この銘板取付Ｌ字構造部８を支点に銘板１４を内部ケース１側に略９０°回転させ、銘板固定スナップフィット１０と銘板固定穴１６の位置を合わせた状態で押圧すると銘板固定スナップフィット１０が銘板固定穴１６に嵌合する。
【００３４】
また、銘板１４を取り外すためには、銘板１４を銘板固定スナップフィット１０から外した後、銘板１４を取り付けのときと逆方向に略９０°回転させて、基板取付Ｌ字構造部８から取り外す。銘板１４は質量が小さく、銘板固定スナップフィット１０から外れる恐れはほとんどないが、万一衝撃等で銘板１４が銘板固定スナップフィット１０から外れても、銘板１４を略９０°回転させなければ脱落することはない。また、図６に示すように、内部ケース１は電力量計のベース１７にサポート１８を介して取り付けられており、内部ケース１を取り付け後、前面にメタルカバー１９が設けられるので、万一銘板１４が銘板固定スナップフィット１０から外れても、メタルカバー１９により、銘板１４の回転を阻止でき、銘板１４が内部ケース１から脱落する恐れがない。
【００３５】
このように構成された実施例３の内部ケースによれば、銘板１４をねじを用いることなく、従来の内部ケース１０１と同様にワンタッチで取り付けることができる。また、銘板取付Ｌ字構造部８を形成し、この銘板取付Ｌ字構造部８に銘板１４を引掛け、略９０°回転させることにより取り付けたので、銘板１４が内部ケース１から脱落する恐れがない。このため、従来用いていた衝撃対策部品１２０を用いる必要がなく、部品点数及び作業工程を減少させることができ、コストダウンを図ることができる。
【産業上の利用可能性】
【００３６】
本発明は、筐体に内部ケースを有し、この内部ケースに基板を取り付けた種々の計器に適用可能である。
【図面の簡単な説明】
【００３７】
【図１】本発明の実施例１に係る電力量計の内部ケースを示す外観斜視図である。
【図２】本発明の実施例１に係る電力量計の内部ケースへの基板取り付け前後の様子を示す外観斜視図である。
【図３】図１のＡ−Ａ間の断面図である。
【図４】本発明の実施例２に係る電力量計の内部ケースを示す外観斜視図である。
【図５】本発明の実施例３に係る電力量計の内部ケースへの銘板取り付け前後の様子を示す外観斜視図である。
【図６】本発明の実施例３に係る電力量計の内部ケースを用いた電力量計の組立図である。
【図７】従来の電力量計の内部ケースを示す外観斜視図である。
【図８】従来の電力量計の内部ケースへの基板取り付け前後の様子を示す外観斜視図である。
【図９】従来の電力量計の内部ケースへの名板取り付け前後の様子を示す外観斜視図である。
【符号の説明】
【００３８】
１、１ａ、１０１              内部ケース
２〜４、２３、１０２、１０４  基板取付位置決め部
５                            基板固定部
６                            基板位置決め突起
７、１０７                    基板固定スナップフィット
７ａ                          ツマミ部
７ｂ、１０７ｂ                引掛け部
８                            基板取付Ｌ字構造部
９、１０９                    銘板取付位置決め部
１０、１１０                  銘板固定スナップフィット
１１、１１１                  基板
１２                          基板位置決め穴
１３、１１３                  基板固定穴
１４、１１４                  銘板
１５                          銘板取付穴
１６                          銘板固定穴
１７                          ベース
１８                          サポート
１９                          メタルカバー
２１、２２                    ガイド
１２０                        衝撃対策部品
【図１】
2006090949.tif 000003
【図２】
2006090949.tif 000004
【図３】
2006090949.tif 000005
【図４】
2006090949.tif 000006
【図５】
2006090949.tif 000007
【図６】
2006090949.tif 000008
【図７】
2006090949.tif 000009
【図８】
2006090949.tif 000010
【図９】
2006090949.tif 000011